(57)【要約】【課題】  床板に穿設された貫通孔から上部に向けてガイド筒が固定され、水又は湯が通過する通水管は、先端に結合された管継手と共に前記貫通孔から立ち上げガイド筒の収容室に挿通し、管継手とガイド筒の上部に配置された継手部材とは、断面が略コの字状の基部と、この基部の両端から伸び管継手及び継手部材に係合される係止部とが設けられたクリップにより接続され、管継手はガイド筒に固定される通水管と継手部材との接続構造において、外観形状が異なる管継手であっても、安定した状態でガイド筒の内部に支持する。【解決手段】  内周面にクリップ６の基部７０と係止部７１とを保持する保持部８３が形成されたカバー８０を形成し、このカバー８０にクリップ６を装着し、カバー８０をガイド筒Ａに支持することで管継手５はガイド筒Ａに固定されるようにした。【選択図】  図１
2005195056.tif 000002
【特許請求の範囲】
【請求項１】
床板に穿設された貫通孔から上部に向けてガイド筒が固定され、水又は湯が通過する通水管は、先端に結合された管継手と共に前記貫通孔から立ち上げガイド筒の収容室に挿通し、管継手とガイド筒の上部に配置された継手部材とは、断面が略コの字状の基部と、この基部の両端から伸び管継手及び継手部材に係合される係止部とが設けられたクリップにより接続され、管継手はガイド筒に固定される通水管と継手部材との接続構造において、内周面にクリップの基部と係止部とを保持する保持部が形成されたカバーを形成し、このカバーにクリップを装着し、カバーをガイド筒に支持することで管継手はガイド筒に固定されることを特徴とする通水管と継手部材との接続構造。
【請求項２】
前記ガイド筒の収容室には、通水管を支持するための支持部材が収容されたことを特徴とする請求項１記載の通水管と継手部材との接続構造。
【請求項３】
前記ガイド筒の収容室には、床板から下部への水の落下を防止するためのパッキンが収容されたことを特徴とする請求項１又は２に記載の通水管と継手部材との接続構造。
【請求項４】
前記支持部材には、鞘管を保持する抜止部が形成されたことを特徴とする請求項１乃至３の何れかに記載の通水管と継手部材との接続構造。
【発明の詳細な説明】
【技術分野】
【０００１】
本発明は、水又は湯が通過する通水管を床板の貫通孔に挿通させ、この通水管の先端に結合された管継手を、床板の上部に配置された継手部材に接続する、通水管と継手部材との接続構造に関する。
【背景技術】
【０００２】
一般に集合住宅、戸建住宅等において、洗面台，流し台，浴室，トイレ，洗濯機等の水栓へ給水，給湯配管の施工を行なう場合、建物の躯体工事の際に水，湯用の各ヘッダーと水栓との間で蛇腹状の鞘管をタコ足状に配設しておき、設備工事の際にこの鞘管内に水，又は湯用の通水管を挿通させ、ヘッダーと水栓とを通水管により接続する配管工法が行われている。この配管工法により鞘管に通水管を挿通し、通水管を床板の上部に立ち上げて床板の上部に配置された継手部材に接続し、この継手部材から水栓へ水又は湯を供給する構造として公知のものに、特許文献１のものがある。
【０００３】
この特許文献１について簡単に説明すると、水又は湯が通過する通水管を鞘管の挿通孔に挿通して床板の上部に立ち上げ、通水管の先端を、床板の上部に配置された継手部材に管継手を介して接続する通水管と継手部材との接続構造において、前記鞘管に通水管を挿通するガイド筒を接続し、このガイド筒は床板に穿設された貫通孔から上部に立ち上げ、上端には受け具を着脱自在に装着可能で、この受け具には管継手を収容することができ、管継手と継手部材とはガイド筒の上部でクリップにより結合されるものである。
【０００４】
【特許文献１】特開２００３−２０７０７４号公報
【発明の開示】
【発明が解決しようとする課題】
【０００５】
ところが、管継手のガイド筒への固定は、受け具の内部に管継手を収容し、受け具をガイド筒に装着しているが、通水管の先端に結合される管継手は多種類存在し、各管継手の外観形状は夫々異なるものであり、特定の外観形状の管継手であれば受け具に対し、隙間なく安定した状態で固定することが可能であっても、他の管継手の場合は外観形状が異なるため、管継手と受け具との間で隙間が発生してしまい、不安定な状態で収容されてしまう。すると、通水管への通水時に、管継手は受け具の内部で振動することで異常音が発生し、居住者に不快感を与えるものであった。従って、何れの管継手でも安定した状態で受け具に収容できるようにするには、外観形状の異なる各管継手に合わせて多数の受け具を用意する必要があり、在庫及び管理のためのコストが増加するものであった。
【０００６】
本発明は、このような従来の技術に存在する問題点に着目してなされたものであり、その課題は、床板に穿設された貫通孔から上部に向けてガイド筒が固定され、水又は湯が通過する通水管は、先端に結合された管継手と共に前記貫通孔から立ち上げガイド筒の収容室に挿通し、管継手とガイド筒の上部に配置された継手部材とは、断面が略コの字状の基部と、この基部の両端から伸び管継手及び継手部材に係合される係止部とが設けられたクリップにより接続され、管継手はガイド筒に固定される通水管と継手部材との接続構造において、外観形状が異なる管継手であっても、安定した状態でガイド筒の内部に支持することである。
【課題を解決するための手段】
【０００７】
上記目的を達成するため、請求項１に記載の発明は、床板に穿設された貫通孔から上部に向けてガイド筒が固定され、水又は湯が通過する通水管は、先端に結合された管継手と共に前記貫通孔から立ち上げガイド筒の収容室に挿通し、管継手とガイド筒の上部に配置された継手部材とは、断面が略コの字状の基部と、この基部の両端から伸び管継手及び継手部材に係合される係止部とが設けられたクリップにより接続され、管継手はガイド筒に固定される通水管と継手部材との接続構造において、内周面にクリップの基部と係止部とを保持する保持部が形成されたカバーを形成し、このカバーにクリップを装着し、カバーをガイド筒に支持することで管継手はガイド筒に固定されるようにしたものである。
【０００８】
請求項２では請求項１記載の発明において、前記ガイド筒の収容室には、通水管を支持するための支持部材が収容されたものである。
【０００９】
請求項３では請求項１又は請求項２記載の発明において、前記ガイド筒の収容室には、床板から下部への水の落下を防止するためのパッキンが収容されたものである。
【００１０】
請求項４では、請求項１乃至３の何れかに記載の発明において、前記支持部材には、鞘管を保持する抜止部が形成されたものである。
【発明の効果】
【００１１】
本発明の請求項１では、通水管の先端に結合される管継手の外観形状が各通水管により異なっていても、共通のカバーにより異なる外観形状の管継手を安定した状態でガイド筒へ固定することができ、カバーを共通化することで管理コストの低減を図ることができる。また、管継手はガイド筒に安定した状態で固定されるため、通水管は通水時に振動することがなく異常音は発生せず、居住者に不快感を与えることがない。
【００１２】
請求項２では、ガイド筒の収容室には通水管を支持するための支持部材が収容されたので、ガイドの内部で支持部材は通水管の外周面に対し密着し、通水管の振動をさらに防止することができる。
【００１３】
請求項３では、ガイド筒の収容室には、床板から下部への水の落下を防止するためのパッキンが収容されたので、通水管と管継手、又は管継手と継手部材との間で漏水が発生しても、水はパッキンで堰き止められ、床板から下部に落下することがない。
【００１４】
請求項４では、支持部材には、鞘管を保持する抜止部が形成されたので、ガイド筒が鞘管の保持を兼ねることで、鞘管を保持するための別の物品を用意する必要がなく、部品点数を削減してコストダウンを図ることができる。
【発明を実施するための最良の形態】
【００１５】
以下、本発明の実施例を図に基づいて詳細に説明する。
【実施例１】
【００１６】
本発明において、ガイド筒Ａは、住宅内で給水金具が設けられているトイレや洗面台，流し台，浴室等の近くに配置されるものであり、図１及び図２に示すように、床板１に穿設された貫通孔２から上部に立ち上がるように固定される。床板１の下部には、蛇腹状の鞘管３が図示しないヘッダーから貫通孔２の下部に向けて配設されており、鞘管３の内部に挿通した通水管４は、貫通孔２を挿通して床板１の上部に立ち上げられる。通水管４の先端には管継手５が結合され、この管継手５は床板１の上部でクリップ６により継手部材７に接続される。ガイド筒Ａはビス８により床板１に固定され、床板１から立ち上がる通水管４及び管継手５はこのガイド筒Ａにより覆われ、外部に露出しないものである。
【００１７】
前記通水管４は、ヘッダーから給水金具に対し水又は湯を供給するものであり、容易に折曲できる合成樹脂製の架橋ポリエチレン管，架橋ポリブテン管等で形成され、上流側の先端は床板１の下部に配置されたヘッダーに接続され、下流側の先端は管継手５を介して前記継手部材７に接続されるものである。この通水管４は、床板１の下部に予め配設された蛇腹状の鞘管３の挿通孔３ａに挿通させることで、鞘管３に被覆されて外部から保護されるもので、通水管４の下流側は鞘管３から露出し、床板１の貫通孔２から上部に向けて垂直方向に立ち上がり、床板１の上部でガイド筒Ａの上端から露出させるものである。
【００１８】
前記ガイド筒Ａは、略円盤型の固定部材１０と、この固定部材１０に対し上部から嵌合して結合される円筒部材２０と、前記固定部材１０の内部に収容され通水管４を支持するための支持部材３０と、床板１の下部への漏水を防止するためのパッキン４０とを有している。
【００１９】
前記固定部材１０は略円盤型で、床板１の上面に配設され、上下に貫通する第１挿通孔１２が設けられた円盤部１１と、この円盤部１１から下方へ突出し床板１の貫通孔２に挿通される環状の下側突部１３と、円盤部１１から上方へ突出し下側突部１３よりやや大径である環状の上側突部１３ａとが形成されており、下側突部１３と上側突部１３ａとの間には円弧状の支持部１４が形成されている。この固定部材１０は、シール用のパッキン１５を貫通孔２の周囲に配置させた後に、下側突部１３を貫通孔２に挿入させた状態で、円盤部１１に穿設されたビス孔１１ａに対し、床板１の上部からビス８を螺着することで床板１に固定される。
【００２０】
前記支持部材３０は合成樹脂製で、略半円盤型に形成された第１分割体３０ａと、同じく略半円盤型に形成された第２分割体３０ｂとからなり、両分割体３０ａ，３０ｂは一体で、薄肉に形成された縦軸方向の結合部３０ｃを中心として左右方向へ回転自在に結合され両分割体３０ａ，３０ｂを左右から重ね合わせて略円盤型とした状態で内部には第２挿通孔３１が設けられる。従って支持部材３０は図３に示すように、通水管４に対し側方から水平方向に移動させて結合し、第２挿通孔３１に通水管４を挿通させた状態で、前記固定部材１０の支持部１４に上部から装着させることができるものである。この支持部材３０は、ガイド筒Ａの内周面の内径より小径である前記通水管４が、ガイド筒Ａの内部で振動することがないように支持するためのものであり、内周面の下部には前記鞘管３を保持するための抜止部３２が内周側に向けて突出するようにして形成され、支持部材３０の第２挿通孔３１に対し、下部から蛇腹状の鞘管３が挿入されると、鞘管３は外周面の長手方向に沿って凹部３ｂ及び凸部３ｃが交互に形成されており、抜止部３２は凸部３ｃを乗り越え、凹部３ｂに対し弾力的に係合することで、ガイド筒Ａから抜け出ることがないように保持される。なお、本実施例の支持部材は、略半円盤型からなる２つの分割体を結合部により結合させ一体としているが、分割体を結合させず別体としてもよい。
【００２１】
前記パッキン４０は例えばゴム等の弾性体からなり、中心に第３挿通孔４１が設けられた円盤型で、第３挿通孔４１の内周縁から外周縁に向けてスリット４２が形成されており、スリット４２を形成することで図３に示すように、通水管４に対し側方から水平方向に移動させて結合し、前記支持部材３０の上部へ装着させることができるものである。このパッキン４０は第３挿通孔４１に通水管４が挿通すると、通水管４の外周面に対し水密的に密着することで、例えば通水管４と管継手５との間で漏水が発生し、パッキン４０に落下した場合に、水はパッキン４０で堰き止められ、パッキン４０より下部に落下することがなく、床板１の下部へ水が侵入しないようにしている。そして、水は円筒部材２０の収容室２３を上昇すると、円筒部材２０の上方から外部へ排水されるため、使用者は漏水の発見を素早く発見することができる。
【００２２】
前記円筒部材２０は下部側の円錐体２１と上部側の胴体２２とからなり、内部には上下に貫通する収容室２３が形成されている。円錐体２１は前記固定部材１０の円盤部１１を上部から覆う外径で、内周面に環状に形成された環状体２４の内周面には、上側突部１３の外周面に形成された雄ねじ１３ｂに螺合される雌ねじ部２５が刻設されている。前記収容室２３は通水管４及び管継手５が余裕をもって挿入される外径であり、下部で円錐体２１の内側には、前記支持部材３０とパッキン４０とが上下に重なり合うようにして装着される。
【００２３】
前記管継手５は通水管４の先端が接続される略円筒状の本体部５０と、この本体部５０に螺着されるナット５１と、このナット５１の先端に固定された保持部材５２に保持され、本体部５０とナット５１との間に挿入される通水管４を保持するためのリング５３とを備えている。
【００２４】
前記本体部５０は略円筒状で、上部先端にはフランジ５４と、このフランジ５４より先端の嵌合部５５とが一体に形成され、嵌合部５５はその外周面に複数個の環状溝５６，５６が形成されており、この環状溝５６，５６にはシール用のシール部材５７，５７がそれぞれ装着されている。
【００２５】
前記継手部材７はハンドル６０を回転操作することで止水弁６１を移動させ、通水管４から給水金具へ供給される水又は湯の止水、通水及び流量調節を可能としたものであり、一端に開口した入口部６２の先端には、クリップ６を装着するためのフランジ６３が環状に形成され、このフランジ６３は前記継手部材７の本体部５０のフランジ５４と上下に重なり合うものである。なお、本実施例の継手部材は内部に止水弁を収容しているが、逆止弁，ストレーナ，圧力調整弁，水撃防止弁等を収容してもよい。
【００２６】
前記管継手５と継手部材７とをワンタッチで接続するためのクリップ６は、弾性力を有する１枚の金属板を折曲して形成したもので、基部７０の両端から外側へ略くの字型に膨出させた係止部７１，７１と、係止部７１，７１の先端で外側へハの字型に開いた脚部７２，７２とを設け、この両脚部７２，７２の間に管継手５の嵌合部５５と継手部材７の端部が挿通する挿通部７３が形成されている。前記基部７０から脚部７２，７２にかけて、前記管継手５と継手部材７との両フランジ５４，６３を重ね合わせた厚みに対応する上下幅で、両フランジ５４，６３を弾性的に嵌入可能な横長のスリット７４が開口し、このクリップ６は、前記基部７０を支点として拡開，縮径方向に弾性変形可能である。なお、クリップの材質としては、弾性力を有する金属板が好ましいが、合成樹脂材であってもよい。
【００２７】
カバー８０は管継手５と継手部材７とを接続するクリップ６を覆うとともに、クリップ６を安定した状態で装着するものであり、半円盤型で同一形状の第１カバー部８１と第２カバー部８２とからなり、互いのカバー部８１，８２は左右から向かい合わせて結合させることができる。各カバー部８１，８２の内周面には、クリップ６の基部７０と係止部７１、さらに脚部７２を保持する保持部８３が環状に形成されている。ここで、管継手５と継手部材７とを接続するためのクリップ６は多種類存在するが、クリップ６はどの製品であっても外観形状は共通している。そこで、クリップ６の外観形状に合わせてカバー８０の内周面に保持部８３を形成することで、カバー８０の内部にクリップ６を安定した状態で保持することができる。このカバー８０の外径は、円筒部材２０の外周面よりやや大径で、円筒部材２０の上部に、カバー８０の底面に形成された溝８５を嵌合させれば、カバー８０を固定することができる。
【００２８】
今、通水管４を床板１の下部から貫通孔２に挿通して床板１の上部に配置された継手部材７に接続するには、図３に示すように、予めガイド筒Ａの固定部材１０を床板１に対しビス８により固定する。そして、通水管４はその先端に管継手５を結合する。なお、管継手の通水管への結合は、通水管を床板の貫通孔に挿通する前でも、挿通して床板の上部に露出した後でも、どちらでもよい。次に、床板１の上部に露出した通水管４に対し側部から水平方向に支持部材３０とパッキン４０とを装着し、支持部材３０の第２挿通孔３１及びパッキン４０の第３挿通孔４１に通水管４を挿通させる。そして、図４に示すように円筒部材２０を固定部材１０に上部から螺着して固定し、通水管４を円筒部材２０の収容室２３に収容する。次に通水管４の先端に結合された管継手５を、クリップ６により継手部材７に対しワンタッチで接続させる。そして、カバー８０の内部にクリップ６を装着するが、クリップ６の基部７０，両係止部７１，７１，さらに両脚部７２，７２は、カバー８０の保持部８３に弾力的に保持され、振動することがないように固定される。このカバー８０は、底面に形成された溝８５を円筒部材２０の上部に嵌合させることで、ガイド筒Ａに対し着脱自在に支持される。
【００２９】
以上のように通水管に結合された管継手と継手部材とはクリップにより結合され、このクリップはカバーによりガイド筒へ振動することがないように安定した状態で支持される。
【００３０】
ここで、図５に示す管継手５ａ及び図６に示す管継手５ｂは、図１に示す管継手５と外観形状が異なっている。即ち、図５の管継手５ａは、図１の管継手５と比較して大径であり、図６の管継手５ｂは図５の管継手５ａと比較して大径である。しかし管継手５ａ，５ｂと継手部材７とを接続するためのクリップ６の形状はいずれも同一であり、しかもクリップ６は他の製品であっても外観の基部７０，係止部７１の形状は同一である。そして、クリップ６はカバー８０に固定され、このカバー８０をガイド筒Ａに支持するため、ガイド筒Ａの内部に収容することのできる管継手であれば、どのような形状であっても、安定した状態で固定することができる。
【図面の簡単な説明】
【００３１】
【図１】通水管の先端に結合された管継手と継手部材とをクリップにより接続した状態の平断面図である。
【図２】ガイド筒の分解斜視図である。
【図３】通水管に対し、支持部材及びパッキンを装着する場合の説明図である。
【図４】管継手と継手部材とをクリップにより接続し、クリップをカバーに装着する場合の説明図である。
【図５】通水管の先端に結合された管継手が、図１とは異なる形状の場合の説明図である。
【図６】通水管の先端に結合された管継手が、図１及び図５とは異なる形状の場合の説明図である。
【符号の説明】
【００３２】
１    ：床板
２    ：貫通孔
５    ：管継手
６    ：クリップ
７    ：継手部材
２３  ：収容室
３０  ：支持部材
３２  ：抜止部
４０  ：パッキン
７０  ：基部
７１  ：係止部
８０  ：カバー
８３  ：保持部
Ａ    ：ガイド筒
【図１】
2005195056.tif 000003
【図２】
2005195056.tif 000004
【図３】
2005195056.tif 000005
【図４】
2005195056.tif 000006
【図５】
2005195056.tif 000007
【図６】
2005195056.tif 000008